(57)【要約】【課題】発光表示部を光らせる発光手段の冷却効率が高く、良好な発光特性と耐久性を持つ誘導加熱調理器を提供すること。【解決手段】加熱コイル２９からの磁束漏れを抑制すると共に送風装置３９からの冷却風路３７を形成する防磁板３３を備えた構成とし、加熱コイル２９の外周近傍には加熱コイル２９の位置や動作状態等を発光表示するための発光手段４０を設け、防磁板３３の発光手段４０に対向する部位に開口部４２を設けることにより、制御部３１の発熱部品３８を冷却するための主要な冷却風が開口部４２を介して発光手段４２に当たるため、発光手段４２の冷却効率が向上し、良好な発光特性と高い耐久性を確保することができる。【選択図】図２
2010257579.tif 000002
【特許請求の範囲】
【請求項１】
本体上面に設けられ、調理容器を載置する天板と、前記天板の下部に設けられ前記調理容器を加熱する加熱コイルと、前記加熱コイルの出力を制御する制御部と、前記制御部の発熱部品を冷却する風を送るための送風装置と、前記加熱コイルの下方に前記加熱コイルと前記制御部の空間を仕切る様に設けられ前記加熱コイルからの磁束漏れを抑制すると共に前記送風装置からの冷却風路を形成する防磁板とを備え、前記加熱コイルの外周近傍には前記加熱コイルの位置や動作状態等を発光表示するための発光手段を設け、前記防磁板の前記発光手段に対向する部位に開口部を設けた誘導加熱調理器。
【請求項２】
前記発光手段の一部または全部を前記開口部から前記防磁板より下に突出させた請求項１に記載の誘導加熱調理器。
【請求項３】
前記発光手段に発光に必要な電力を供給するための電気接続部を前記開口部から前記防磁板より下に突出させた請求項２に記載の誘導加熱調理器。
【請求項４】
前記発光手段は、光を発する光源と、前記光源の光を天板方向に導く導光部を備えてなり、前記光源の一部または全部を前記開口部から前記防磁板より下に突出させた請求項２または３に記載の誘導加熱調理器。
【請求項５】
前記導光部は、前記光源の光を通す導光体と、前記導光体からの光漏れを防止する遮光板を備えてなり、前記導光体の一部を前記開口部から前記防磁板より下に突出させた請求項４に記載の誘導加熱調理器。
【請求項６】
前記発光手段は、光を発する光源と、前記光源を覆い前記天板側に光透過部を設けた箱体を備えてなり、前記発光手段に前記開口部に面する部位に冷却風を通すための通風孔を設けた請求項１に記載の誘導加熱調理器。
【請求項７】
前記発光手段は、光を発する光源と、前記光源を覆い前記天板側に光透過部を設けた箱体を備えてなり、前記箱体の一部を前記開口部から前記防磁板より下に突出させ、前記箱体の突出部に冷却風を通すための通風孔を設けた請求項１に記載の誘導加熱調理器。
【発明の詳細な説明】
【技術分野】
【０００１】
本発明は、加熱コイルの位置や動作状態等を発光表示する誘導加熱調理器に関するものである。
【背景技術】
【０００２】
誘導加熱調理器はガス調理器や電気ヒータとは異なり加熱時に炎や赤熱が見えない。こういった課題を解決すべく、近年は発光ダイオード等を用いた発光表示により加熱部の状態を視覚的にうったえることのできる製品が普及してきている。一例として、天板上に設けた被加熱調理容器を載置する加熱部の近傍に、電源が投入されると入りの状態を表示手段により表示するようにし、さらに被加熱調理容器が載置され加熱が開始されると表示の内容が前の表示の内容とは異なる表示となるようにしたものがある（例えば、特許文献１参照）。
【０００３】
前記従来の誘導加熱調理器は、例えば図９に示すような構成のものがある。この構成は本体を形成するケース１とケース１上面に設けた透光性の天板２と、この天板２の下部に設けた被加熱調理容器を加熱する加熱コイル３と、加熱コイル３や表示の内容を制御する制御部４と、天板２上に使用状態を表示するための発光手段５が設けられたものである。発光手段５はドーナツ状の導光体とその中心に電球または半導体発光素子からなる光源を設けた構成となっており、電源スイッチの入りに伴い中心部にある光源が点灯し、この光が導光体に導かれて周辺部で発光するようにしたものである。そして、周辺部で発光した光は天板上に円を表示する。このような構成により、電源が投入されたときに発光手段５を発光させて天板２上に電源が投入されたことを示す図形を表示する。さらに被加熱調理容器が載置され加熱が開始されると点灯色を変えるなど表示の内容を変化させて加熱状態を表示する。
【０００４】
前記従来の誘導加熱調理器は、上記構成により、加熱部の状態を視覚的にうったえることにより、使い勝手の向上を図ったものであった。
【先行技術文献】
【特許文献】
【０００５】
【特許文献１】特許第３４０５３１７号公報
【発明の概要】
【発明が解決しようとする課題】
【０００６】
しかしながら、従来の構成では、加熱部の状態を使用者にわかりやすく表示するために、できるだけ加熱部の近傍に表示部を設ける必要があり、加熱コイル３と発光手段５を近接させなければならず、発光手段５は加熱コイル３や天板２上の被加熱調理容器からの熱影響を受けやすいという課題を有していた。また、従来の構成では、一般的に加熱コイル３および発光手段５は、制御部４の発熱部品を冷却するための風路６から隔離された場所に設けられているため、発光手段５は十分な冷却効果が得られにくくなり、その結果十分な発光特性と耐久性が得られにくいものとなっているという課題を有していた。
【０００７】
本発明は、前記従来の課題を解決するもので、発光手段の冷却効率が高く、良好な発光特性と耐久性を持つ誘導加熱調理器を提供することを目的とする。
【課題を解決するための手段】
【０００８】
前記従来の課題を解決するために、本発明の誘導加熱調理器は、加熱コイルからの磁束
漏れを抑制すると共に送風装置からの冷却風路を形成する防磁板を備えた構成としており、この防磁板において、加熱コイルの位置や動作状態等を発光表示するための発光手段に対向する部位に開口部を設けた構成とした。
【０００９】
このように冷却風路を形成する防磁板に開口部を設けたことにより、制御部の発熱部品を冷却するための主要な冷却風が開口部を介して発光手段に当たるため、発光手段の冷却効率が向上し、良好な発光特性と高い耐久性を確保することができる。
【発明の効果】
【００１０】
本発明の誘導加熱調理器は、発光手段の冷却効率が高く、良好な発光特性と耐久性を持つ誘導加熱調理器を提供することができるものである。
【図面の簡単な説明】
【００１１】
【図１】本発明の実施の形態１〜７における誘導加熱調理器の上方から見た平面外観図
【図２】本発明の実施の形態１における誘導加熱調理器の構成を示す断面図
【図３】本発明の実施の形態１における誘導加熱調理器の発光手段の斜視図
【図４】本発明の実施の形態１における誘導加熱調理器の発光手段および近傍の断面図
【図５】本発明の実施の形態２における誘導加熱調理器の発光手段および近傍の断面図
【図６】本発明の実施の形態３における誘導加熱調理器の発光手段および近傍の断面図
【図７】本発明の実施の形態４における誘導加熱調理器の発光手段および近傍の断面図
【図８】本発明の実施の形態５における誘導加熱調理器の発光手段および近傍の断面図
【図９】従来の誘導加熱調理器の構成を示す断面図
【発明を実施するための形態】
【００１２】
第１の発明は、本体上面に設けられ、調理容器を載置する天板と、前記天板の下部に設けられ前記調理容器を加熱する加熱コイルと、前記加熱コイルの出力を制御する制御部と、前記制御部の発熱部品を冷却する風を送るための送風装置と、前記加熱コイルの下方に前記加熱コイルと前記制御部の空間を仕切る様に設けられ前記加熱コイルからの磁束漏れを抑制すると共に前記送風装置からの冷却風路を形成する防磁板とを備え、前記加熱コイルの外周近傍には前記加熱コイルの位置や動作状態等を発光表示するための発光手段を設け、前記防磁板の前記発光手段に対向する部位に開口部を設けた構成としたことにより、制御部の発熱部品を冷却するための主要な冷却風が開口部を介して発光手段に当たるため、発光手段の冷却効率が向上し、良好な発光特性と高い耐久性を確保することができるものである。
【００１３】
第２の発明は、特に、第１の発明における発光手段の一部または全部を前記開口部から前記防磁板より下に突出させたことにより、防磁板で形成される冷却風路を流れる主要な冷却風が効果的に発光手段の突出部に当たり、冷却効率が一層向上するものである。
【００１４】
第３の発明は、特に、第２の発明における発光手段に発光に必要な電力を供給するための電気接続部を前記開口部から前記防磁板より下に突出させたことにより、防磁板で形成される冷却風路を流れる主要な冷却風で電気接続部を効率よく冷却でき、制御部と同じ空間に電気接続部が位置するため組立性の向上も図ることができるものである。
【００１５】
第４の発明は、特に、第２または第３のいずれかの発明における発光手段を、光を発する光源と、前記光源の光を天板方向に導く導光部を備えた構成とし、前記光源の一部または全部を前記開口部から前記防磁板より下に突出させたことにより、防磁板で形成される冷却風路を流れる主要な冷却風で光源を効率よく冷却でき、耐熱温度がそれほど高くない安価な光源を使用しても、発光性能と耐久性を十分確保できるものである。
【００１６】
第５の発明は、特に、第４の発明における導光部を、前記光源の光を通す導光体と、前記導光体からの光漏れを防止する遮光板を備えた構成とし、前記導光体の一部を前記開口部から前記防磁板より下に突出させたことにより、防磁板で形成される冷却風路を流れる主要な冷却風で導光体の突出部から熱伝導により導光体全体を効率よく冷却でき、良好な発光特性と十分な耐久性を確保できるものである。
【００１７】
第６の発明は、特に、第１の発明の発光手段を、光を発する光源と、前記光源を覆い前記天板側に光透過部を設けた箱体を備えた構成とし、前記発光手段に前記開口部に面する部位に冷却風を通すための通風孔を設けたことにより、箱体によって前記光源の光を天板方向に導光して良好な発光特性を確保しつつ、通風孔から箱体内に導入される風によって箱体内部を効果的に冷却することができるものである。
【００１８】
第７の発明は、特に、第１の発明の発光手段を、光を発する光源と、前記光源を覆い前記天板側に光透過部を設けた箱体を備えた構成とし、前記箱体の一部を前記開口部から前記防磁板より下に突出させ、前記箱体の突出部に冷却風を通すための通風孔を設けたことにより、箱体によって前記光源の光を天板方向に導光して良好な発光特性を確保しつつ、箱体の突出部から内部に風を導入することにより、更に冷却効率が高まるものである。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における誘導加熱調理器の上方から見た平面外観図である。本体上面を構成する天板２１には調理容器の載置位置を示す円形の加熱ゾーン２２や電源スイッチ２３、加熱のＯＮ・ＯＦＦを行う加熱スイッチ２４、加熱出力設定を行う火力スイッチ２５等のタッチ式スイッチ類が印刷されている。また前記天板２１は透光性を有しており、天板２１下方から発光手段によって光を発光・透過させることにより前記加熱ゾーン２２に沿った円弧状の発光表示部２６が表面に表示されるようになっている。
【００２１】
図２は、本発明の第１の実施の形態における誘導加熱調理器の構成を示す断面図である。外郭を形成する本体２７上面には調理容器２８を載置する天板２１が設けられ、天板２１の下部には調理容器２８を誘導加熱する加熱コイル２９が設けられている。加熱コイル２９の下部には集磁性を有するフェライト３２が放射状に設けられており下方へ向かう磁束を抑制している。また、調理容器２８の下部に該当する天板２１下部にはサーミスタ等からなる温度センサ３０が設けられており、調理容器２８の底面から天板２１を介して伝わる熱を検知して温度に応じた信号を出力する。前記加熱コイル２９の下方には前記温度センサ３０から出力された信号に基づいて加熱コイル２９の出力を制御する制御部３１が設けられている。前記制御部３１はフェライト３２よりも下に配置されており前記フェライト３２の防磁効果により磁束の影響が軽減されているが、更に磁束漏れの影響を無くすために、防磁効果を有するアルミ等でできた防磁板３３が加熱コイル２９側の空間と制御部３１側の空間とを仕切るように設けられている。加熱コイル２９はフェライト３２を収容するコイルベース３４上面に接着等で取り付けられており、また、加熱コイル２９と天板２１との間には加熱された調理容器２８から前記加熱コイル２９への熱影響を軽減する
ためのセラミックファイバー等からなる断熱材３５が設けられている。前記防磁板３３はコイルベース３４を介して加熱コイル２９を下方から支持していると共に、本体２７底部に設けられたバネ３６によって上方に附勢されることにより、前記加熱コイル２９を天板２１下面に向かって断熱材３５越しに押さえつけるように設けられている。また、前記防磁板３３と本体２７底部との間の空間は冷却風路３７を形成しており、前記冷却風路３７内に配置されているヒートシンクに接合されたＩＧＢＴや共振コンデンサ等のような前記制御部３１内の発熱部品３８は、本体２７内に設けられた送風装置３９の冷却風により所望の温度に冷却される。透光性を有する天板２１の下方には、ＬＥＤ等の発光素子等からなる光源４１を有し、前記天板２１に向かって光を発光させるように構成された発光手段４０が設けられており、前記防磁板３３の前記発光手段４０に対向する部位には開口部４２が設けられている。
【００２２】
図３は、本発明の第１の実施の形態における誘導加熱調理器の発光手段の斜視図である。本実施の形態では、発光手段４０はＬＥＤ等の発光素子等からなる光源４１を搭載した発光基板４３と、前記発光基板４３を囲むように構成され上部（天板側）に光透過部を有する箱体４５と、光源４１の光を受けて光る輝部４６と不透明部４７が印刷により形成された表示シート４８とを有した構成となっている。
【００２３】
図４は、本発明の第１の実施の形態における誘導加熱調理器の発光手段および近傍の断面図であり、前記発光手段における長手方向の断面である。本実施の形態では発光手段４０は防磁板３３の上部に設けられており、前記防磁板３３において前記発光手段４０に対向する部位に開口部４２を設けている。また防磁板３３の下部は制御部冷却のための冷却風路３７が形成されており図中の矢印に示すような風の流れがある。
【００２４】
以上のように構成された誘導加熱調理器について、以下その動作、作用を説明する。
【００２５】
まず、加熱ゾーン２２に調理容器２８を載置し、電源スイッチ２３を押えると加熱スタンバイの状態になる。このとき制御部３１からの信号により発光手段４０を発光させ発光表示部２６全体を点灯させると調理容器２８の載置位置がわかりやすくなる。つぎに加熱スイッチ２４を押さえて調理容器２８の加熱をスタートさせると発光手段４０の発光色を前記加熱スタンバイの状態から変化させて加熱状態を使用者に視覚的にわかりやすく伝える。更に火力スイッチ２５により所望の加熱出力に設定する。このとき発光手段４０の発光色を加熱出力に応じて変化を持たせれば火力の強さを視覚的にうったえることが可能となる。これらの一連の動作における発光手段４０の発光色は、例えば加熱スタンバイ時は白、加熱時は火力が増す度に黄、橙、赤と変化させるとよい。これらの色の変化は、発光手段４０を構成する色の違う光源４１を複数設けておき、光らせ方の組み合わせを変化させることにより実施可能である。ところで、前記発光表示部２６はできるだけ加熱ゾーン２２の周囲近傍に位置した方が使用者にとってわかりやすいのだが、そのためには発光手段４０を加熱コイル２９に近付ける必要があり、発光手段４０は加熱コイル２９の発熱や調理容器２８からの温度影響を受けやすくなる。そこで、本実施の形態に示す誘導加熱調理器は、加熱コイル２９からの磁束漏れを抑制すると共に送風装置３９からの冷却風路３７を形成する防磁板３３を備えた構成としており、防磁板３３の発光手段４０に対向する部位に開口部４２を設けている。このような構成としたことにより、制御部３１の発熱部品３８を冷却するための主要な冷却風は図４の矢印に示すように開口部４２を介して発光手段４０に直接当たるため、発光手段４０の冷却効率が向上し、良好な発光特性と高い耐久性を確保することができるものである。また、防磁板３３を加熱コイル２９の支持部材として利用しており、その下に制御部３１を配置しているため、構成が簡単になり省スペース化が図れ、製品全体の薄型化や小型化が可能になる。
【００２６】
（実施の形態２）
図５は、本発明の第２の実施の形態における誘導加熱調理器の発光手段および近傍の断面図であり、前記発光手段における長手方向の断面である。尚、実施の形態１と基本構成は同じなので説明は省略し、異なる点を中心に説明する。また、実施の形態１の図４と同じ構成部品には同じ符号を付している。
【００２７】
図５において、発光手段４０を構成する光源４１の発光基板４３には発光に必要な電力を制御部からリード線５０を通して供給するための電気接続部４９が開口部４２から防磁板３３より下に突出させるように設けられている。この構成により、防磁板３３で形成される冷却風路３７を流れる主要な冷却風は、矢印に示すように電気接続部４９やリード線５０に直接あたるため、基板パターンを通して熱伝導により光源４１を中心に効率よく冷却できる。また、制御部と同じ空間に電気接続部４９が位置するため組立性の向上も図ることができるものである。このように、本実施の形態２は発光手段４０の一部または全部を前記開口部４２から前記防磁板３３より下に突出させたことにより、防磁板３３で形成される冷却風路３７を流れる主要な冷却風が効果的に発光手段４０の突出部に当たり、冷却効率が一層向上するものである。
【００２８】
（実施の形態３）
図６は本発明の第３の実施の形態における誘導加熱調理器の発光手段および近傍の断面図であり、前記発光手段における長手方向の断面である。尚、実施の形態１と基本構成は同じなので説明は省略し、異なる点を中心に説明する。また、実施の形態１の図４と同じ構成部品には同じ符号を付している。
【００２９】
図６において、発行手段４０は光を発する光源４１と、光源４１を搭載する発光基板４３と、前記発光基板４３に電力を供給するためのリード線５０と、前記光源４１の光を天板方向に導くためのポリカーボネート等の透明樹脂やガラス等で構成された透光性材料の導光体５１と前記導光体５１や前記光源４１からの光漏れを防止するための遮光板５２とを備えた導光部５３を有する構成となっている。また、光源４１は開口部４２から防磁板３３より下に突出させるように取り付けられており、防磁板３３で形成される冷却風路３７を流れる主要な冷却風で光源４３を効率よく冷却できるため、耐熱温度がそれほど高くない安価な光源４３を使用しても、発光性能と耐久性を十分確保できるものである。更に、本実施の形態では導光体５１の一部を開口部４２から防磁板３３より下に突出させているため、防磁板３３で形成される冷却風路３７を流れる主要な冷却風で導光体５１の突出部から熱伝導により導光体５１全体を効率よく冷却でき、良好な発光特性と十分な耐久性を確保できるものである。
【００３０】
（実施の形態４）
図７は、本発明の第４の実施の形態における誘導加熱調理器の発光手段および近傍の断面図であり、前記発光手段における長手方向の断面である。尚、実施の形態１と基本構成は同じなので説明は省略し、異なる点を中心に説明する。また、実施の形態１の図４と同じ構成部品には同じ符号を付している。
【００３１】
図７において、発光手段４０を構成する光源４１の発光基板４３と箱体４５との境界部で開口部４２に面する部位には冷却風を通すための通風孔５４が設けられている。この構成により、防磁板３３で形成される冷却風路３７を流れる主要な冷却風は、矢印に示すように発光基板４３の下面を流れると同時に通風孔５４から箱体４５内に導入され通過して再び通風孔５４から排出される。したがって本実施の形態は箱体４５によって光源４１の光を天板方向に導光して良好な発光特性を確保しつつ、通風孔５４から箱体４５内に導入される風によって箱体４５内部を効果的に冷却することができるものである。
【００３２】
（実施の形態５）
図８は、本発明の第５の実施の形態における誘導加熱調理器の発光手段および近傍の断面図であり、前記発光手段における長手方向の断面である。尚、実施の形態１と基本構成は同じなので説明は省略し、異なる点を中心に説明する。また、実施の形態１の図４と同じ構成部品には同じ符号を付している。
【００３３】
図８において、本実施の形態は発光手段４０を構成する光源４１および発光基板４３と箱体４５の一部を開口部４２から防磁板３３より下に突出させており、前記箱体４５の突出部５５に冷却風を通すための通風孔５４を設けている。この構成により、防磁板３３で形成される冷却風路３７を流れる主要な冷却風は、矢印に示すように発光基板４３の下面を流れると同時に箱体４５の突出部５５に設けられた通風孔５４から箱体４５内に導入され通過して再び通風孔５４から排出される。したがって本実施の形態は箱体４５によって光源４１の光を天板方向に導光して良好な発光特性を確保しつつ、箱体４５の突出部５５から効率よく通風孔５４を通して内部に風を導入することにより、更に箱体４５内部の冷却効率が高まるものである。
【００３４】
尚、本実施の形態１〜５において、発光手段４０から防磁板３３の下部に光が漏れた場合には防磁板３３が天板２１方向に向かう漏光を遮断することができる。したがって防磁板３３は遮光板としても有効に働くものである。
【００３５】
また、本実施の形態１〜５において、発光表示部２６の形状や光らせ方は本実施例の形態に限定されるものではなく、目的に応じて様々な形態が考えられるのは明らかである。
【産業上の利用可能性】
【００３６】
以上のように、本発明にかかる誘導加熱調理器は、加熱コイルの位置や動作状態等を発光表示する発光手段を効率よく冷却し、良好な発光特性と高い耐久性を確保することができるので、誘導加熱調理器に限らず発光手段を使用して発光表示するさまざまな装置に適用できる。
【符号の説明】
【００３７】
２１  天板
２７  本体
２８  調理容器
２９  加熱コイル
３１  制御部
３３  防磁板
３７  冷却風路
３８  発熱部品
３９  送風装置
４０  発光手段
４１  光源
４２  開口部
４４  光透過部
４５  箱体
５１  導光体
５２  遮光板
５３  導光部
５４  通風孔
５５  突出部
【図１】
2010257579.tif 000003
【図２】
2010257579.tif 000004
【図３】
2010257579.tif 000005
【図４】
2010257579.tif 000006
【図５】
2010257579.tif 000007
【図６】
2010257579.tif 000008
【図７】
2010257579.tif 000009
【図８】
2010257579.tif 000010
【図９】
2010257579.tif 000011